(57)【特許請求の範囲】
【請求項１】
密閉された筐体に設けられた開口部と、
前記開口部を塞ぐ蓋と、
前記蓋と開口部の間に挟まれて防水を図る防水部材と、
前記開口部の位置から、その開口部の露出させる位置までの間、前記蓋をスライド自在に支持する支持部材と、
を備え、
前記開口部を露出させる位置で前記筐体より前記蓋が出っ張り、前記開口部を塞ぐ位置で前記筐体と蓋が平面になることを特徴とするスライド蓋の防水装置。
【請求項２】
密閉された筐体に設けられた開口部と、
前記開口部を塞ぐ蓋と、
前記蓋と開口部の間に挟まれて防水を図る防水部材と、
前記開口部の位置から、その開口部の露出させる位置までの間、前記蓋をスライド自在に支持する支持部材と、
を備え、
前記開口部を塞ぐ位置で前記蓋を開口部内に向け押し込むことで、蓋が前記筐体と平面になることを特徴とするスライド蓋の防水装置。
【請求項３】
密閉された筐体に設けられた開口部と、
前記開口部を塞ぐ蓋と、
前記蓋と開口部の間に挟まれて防水を図る防水部材と、
前記開口部の位置から、その開口部の露出させる位置までの間、前記蓋をスライド自在に支持する支持部材と、
を備え、
前記開口部を塞ぐ位置で前記蓋を開口部内に向け押し込むことで、前記防水部材が開口部内に嵌め込まれることを特徴とするスライド蓋の防水装置。
【請求項４】
密閉された筐体に設けられた開口部と、
前記開口部を塞ぐ蓋と、
前記蓋と開口部の間に挟まれて防水を図る防水部材と、
前記開口部の位置から、その開口部の露出させる位置までの間、前記蓋をスライド自在に支持する支持部材と、
を備え、
前記開口部を塞ぐ位置になったら、バネの力によって前記防水部材が開口部内に嵌め込まれることを特徴とするスライド蓋の防水装置。
【請求項５】
請求項１から４のいずれか一項に記載のスライド蓋の防水装置を備えることを特徴とする電子機器。
【発明の詳細な説明】
【技術分野】
【０００１】
本発明は、スライド蓋の防水装置と、そのスライド蓋の防水装置を備える電子機器に関する。
【背景技術】
【０００２】
ジョイントコネクタハウジングにおいて、スライドカバーによって開口部を閉止するとともに防水構造としたものが特許文献１に提案されている。この提案は、スライドカバーを引き出して外すことで開口部を露出させた状態にできるものである。
【先行技術文献】
【特許文献】
【０００３】
【特許文献１】特開２００４−２３５０５５号公報
【発明の概要】
【発明が解決しようとする課題】
【０００４】
しかし、特許文献１の提案技術では、スライドカバーを引き出して開口部を露出させた状態では、スライドカバーがハウジングから外れてしまうため、スライドカバーを紛失したりする恐れがあった。
【０００５】
本発明の課題は、防水用のスライド蓋を紛失したりする恐れをなくすことである。
【課題を解決するための手段】
【０００６】
以上の課題を解決するため、請求項１に記載の発明は、密閉された筐体に設けられた開口部と、前記開口部を塞ぐ蓋と、前記蓋と開口部の間に挟まれて防水を図る防水部材と、前記開口部の位置から、その開口部の露出させる位置までの間、前記蓋をスライド自在に支持する支持部材と、を備えるスライド蓋の防水装置であって、前記開口部を露出させる位置で前記筐体より前記蓋が出っ張り、前記開口部を塞ぐ位置で前記筐体と蓋が平面になることを特徴とする。
【０００７】
請求項２に記載の発明は、密閉された筐体に設けられた開口部と、前記開口部を塞ぐ蓋と、前記蓋と開口部の間に挟まれて防水を図る防水部材と、前記開口部の位置から、その開口部の露出させる位置までの間、前記蓋をスライド自在に支持する支持部材と、を備えるスライド蓋の防水装置であって、前記開口部を塞ぐ位置で前記蓋を開口部内に向け押し込むことで、蓋が前記筐体と平面になることを特徴とする。
【０００８】
請求項３に記載の発明は、密閉された筐体に設けられた開口部と、前記開口部を塞ぐ蓋と、前記蓋と開口部の間に挟まれて防水を図る防水部材と、前記開口部の位置から、その開口部の露出させる位置までの間、前記蓋をスライド自在に支持する支持部材と、を備えるスライド蓋の防水装置であって、前記開口部を塞ぐ位置で前記蓋を開口部内に向け押し込むことで、前記防水部材が開口部内に嵌め込まれることを特徴とする。
【０００９】
請求項４に記載の発明は、密閉された筐体に設けられた開口部と、前記開口部を塞ぐ蓋と、前記蓋と開口部の間に挟まれて防水を図る防水部材と、前記開口部の位置から、その開口部の露出させる位置までの間、前記蓋をスライド自在に支持する支持部材と、を備えるスライド蓋の防水装置であって、前記開口部を塞ぐ位置になったら、バネの力によって前記防水部材が開口部内に嵌め込まれることを特徴とする。
【００１１】
請求項５に記載の発明は、請求項１から４のいずれか一項に記載のスライド蓋の防水装置を備える電子機器を特徴とする。
【発明の効果】
【００１２】
本発明によれば、蓋をスライドさせて開いたときにも蓋が支持されるため、蓋が筐体から外れてしまうことはなく、蓋を紛失したりする恐れもない。
【図面の簡単な説明】
【００１３】
【図１】本発明を適用した電子機器の一実施形態の構成を示すもので、携帯電話の斜視図である。
【図２】図１のスライド蓋を外して開口部を示した拡大図（ａ）とそのレール形状を示した平面図（ｂ）である。
【図３】図１のスライド蓋を外して内側から見た拡大図である。
【図４】図２の開口部のオープン時を示す斜視図（ａ）とその横断面図（ｂ）である。
【図５】図４の状態からクローズ直前を示す斜視図（ａ）とその横断面図（ｂ）である。
【図６】図５の状態からクローズ時を示す斜視図（ａ）とその横断面図（ｂ）である。
【図７】実施形態２を示すもので、開口部を示した拡大図（ａ）とそのレール形状を示した平面図（ｂ）である。
【図８】スライド蓋を内側から見た拡大図である。
【図９】図７の開口部のオープン時を示す斜視図（ａ）とその横断面図（ｂ）である。
【図１０】図９の状態からクローズ直前を示す斜視図（ａ）とその横断面図（ｂ）である。
【図１１】図１０の状態からクローズ時を示す斜視図（ａ）とその横断面図（ｂ）である。
【図１２】実施形態３を示すもので、開口部を示した拡大図（ａ）とそのレール形状を示した平面図（ｂ）である。
【図１３】スライド蓋を内側から見た拡大図である。
【図１４】図１２の開口部のオープン時を示す斜視図（ａ）とその横断面図（ｂ）である。
【図１５】図１４の状態からクローズ直前を示す斜視図（ａ）とその横断面図（ｂ）である。
【図１６】図１５の状態からクローズ時を示す斜視図（ａ）とその横断面図（ｂ）である。
【図１７】実施形態４を示すもので、スライド蓋を内側から見た拡大図（ａ）とその外側から見た正面図（ｂ）である。
【図１８】開口部のオープン時を示す斜視図（ａ）とその横断面図（ｂ）である。
【図１９】図１８の状態からクローズ直前を示す斜視図（ａ）とその横断面図（ｂ）である。
【図２０】図１９の状態からクローズ時を示す斜視図（ａ）とその横断面図（ｂ）である。
【図２１】実施形態５を示すもので、スライド蓋を内側から見た拡大図（ａ）とその外側から見た正面図（ｂ）である。
【図２２】開口部のオープン時を示す斜視図（ａ）とその横断面図（ｂ）である。
【図２３】図２２の状態からクローズ直前を示す斜視図（ａ）とその横断面図（ｂ）である。
【図２４】図２３の状態からクローズ時を示す斜視図（ａ）とその横断面図（ｂ）である。
【発明を実施するための形態】
【００１４】
以下、図を参照して本発明を実施するための形態を詳細に説明する。
（実施形態１）
図１は本発明を適用した電子機器の一実施形態の構成として携帯電話を示したもので、１は筐体、２はスライド蓋である。筐体１は図示しない防水構造により密閉されている。
【００１５】
図２（ａ）は筐体１の一側面のスライド蓋２を外して開口部３を示したもので、図２（ｂ）はその開口部３を含む凹部４の上下面の直線状溝によるレール５の形状を示したものである。凹部４の上下面に形成された支持部材を構成するレール５の両端部は、図２（ｂ）に示すように、溝にくびれ部を介在させたピンストッパ部５ａとなっている。
【００１６】
図３はスライド蓋２を外して内側から見たものである。スライド蓋２は、図示のように、上下面にレール５の溝内にスライド自在に係合する一対のピン６を一体に備えて、内面に突出して先端が開口部３に挿入されるリブ７を一体に備えている。そして、リブ７の先端外周に防水用のＯリングによるパッキン８が嵌め付けられている。
【００１７】
以上において、開口部３は、図４から図６に示すように、凹部４の一半部に形成した浅くなる傾斜面に形成されており、この傾斜面の開口部３に対応してリブ７は、スライド蓋２の内面に対し周囲が斜めに形成されるとともに、先端面が開口部３の傾斜面に対応する傾斜面に形成されている。
【００１８】
次に、図４（ａ）は開口部３のオープン時を示す斜視図で、図４（ｂ）はその横断面を示したものである。図示のように、レール５の開口部３と反対側のピンストッパ部５ａに、スライド蓋２のピン６が係合保持されたオープン状態の開口部３には、例えばコネクタ９などを挿入して内部の図示しない端子に接続する。
【００１９】
そして、図５（ａ）及び（ｂ）はクローズ直前を示すものである。すなわち、図４のオープン状態から矢印で示したように、レール５に沿ってスライド蓋２を開口部３に向けてスライドさせると、レール５の開口部３側のピンストッパ部５ａにピン６が到達する直前で、図示のように、リブ７の先端外周のパッキン８が、凹部４の傾斜面の開口部３の手前に弾性変形して乗り上げる。
【００２０】
続いて、図６（ａ）及び（ｂ）はクローズ時を示すものである。すなわち、図５のクローズ直前状態から矢印で示したように、レール５に沿ってスライド蓋２をスライドさせると、図示のように、レール５の開口部３側のピンストッパ部５ａにピン６が到達して係合保持されると同時に、パッキン８が開口部３内に嵌め込まれる。
【００２１】
以上、実施形態の携帯電話によれば、密閉された筐体１の一側面の開口部３をパッキン８で塞ぐスライド蓋２を、開口部３の位置から、その開口部３の露出させる位置までの間、スライド自在に支持するレール５を備えることで、スライド蓋２をスライドさせて開いたときにもスライド蓋２がレール５に支持されるため、スライド蓋２が筐体１から外れてしまうことはない。従って、スライド蓋２を紛失したりする恐れもない。
【００２２】
（実施形態２）
図７は実施形態２を示すもので、図７（ａ）は開口部３を示し、図７（ｂ）はその開口部３を含む凹部４の上下面の直線状溝によるレール５の形状を示している。
【００２３】
実施形態２では、図示のように、両端部にピンストッパ部５ａを有するレール５の中間部には、右側のピンストッパ部５ａを中心として、開口部３の手前側端部に向けて延びる円弧状の分岐部５ｂが形成されている。
【００２４】
図８はスライド蓋２を内側から見たものである。スライド蓋２は、図示のように、上下面にレール５の溝内にスライド自在に係合する一対のピン６を一体に備えて、内面に直角に突出して開口部３に挿入されるリブ７を一体に備えている。そして、リブ７の外周にパッキン８が嵌め付けられている。
【００２５】
以上において、開口部３は、図９から図１１に示すように、凹部４の一半部の浅くなる傾斜面に形成されており、スライド蓋２の外側部に、開口部３に向けて前方のピン６からの距離に対し後方のピン６からの距離が大きくなるように傾斜する傾斜面２ａが形成されている。この傾斜面２ａは、その傾斜角度が開口部３の傾斜面と対称的となるように形成されている。
【００２６】
次に、図９（ａ）及び（ｂ）は開口部３のオープン時を示すものである。図示のように、レール５の開口部３と反対側のピンストッパ部５ａに、スライド蓋２のピン６が係合保持されたオープン状態となっていて、スライド蓋２の外側部の傾斜面２ａが凹部４から筐体１の一側面に出っ張った状態となっている。
【００２７】
そして、図１０（ａ）及び（ｂ）はクローズ直前を示すものである。すなわち、図９のオープン状態から矢印で示したように、レール５に沿ってスライド蓋２を開口部３に向けてスライドさせると、レール５の開口部３側のピンストッパ部５ａにピン６が到達した時点で、図示のように、リブ７の外周のパッキン８が、凹部４の傾斜面の開口部３の先端に突き当たる。
【００２８】
続いて、図１１（ａ）及び（ｂ）はクローズ時を示すものである。すなわち、図１０のクローズ直前状態から矢印で示したように、スライド蓋２を押し込むと、図示のように、レール５の開口部３側のピンストッパ部５ａに係合保持されたピン６を中心として、レール５の中間部に設けた円弧状の分岐部５ｂに沿って他方のピン６が移動し、パッキン８が開口部３内に嵌め込まれる。この状態でスライド蓋２は、図示のように、筐体１の一側面と一様な平面となる。
【００２９】
以上のように、開口部３を露出させるオープン位置で筐体１の一側面よりスライド蓋２の傾斜面２ａが出っ張り、開口部３を塞ぐクローズ位置でスライド蓋２を開口部３内に向け押し込むことで、スライド蓋２の傾斜面２ａが筐体１の一側面と平面になるような構成としても、スライド蓋２がレール５に支持されることから、前述した実施形態１と同様の作用効果が得られる。
【００３０】
（実施形態３）
図１２は実施形態３を示すもので、図１２（ａ）は開口部３を示し、図１２（ｂ）はその開口部３を含む凹部４の上下面のレール５の形状を示している。
【００３１】
実施形態３では、図示のように、開口部３は、凹部４の一様な平面の一半部に形成されている。そして、レール５は、開口部３に対し手前側から、開口部３に向かって次第に近付く曲線状溝で形成されている。また、このレール５の中間部に、右側の端部を中心として、開口部３の手前側端部に向けて延びる円弧状の分岐部５ｂが形成されている。
【００３２】
図１３はスライド蓋２を内側から見たものである。スライド蓋２は、図示のように、上下面にレール５の溝内にスライド自在に係合する一対のピン６を一体に備えて、内面に直角に突出して開口部３に挿入されるリブ７を一体に備えている。そして、リブ７の外周にパッキン８が嵌め付けられている。
【００３３】
次に、図１４（ａ）及び（ｂ）は開口部３のオープン時を示すものである。図示のように、レール５の開口部３と反対側の端部に、スライド蓋２のピン６が位置したオープン状態となっていて、スライド蓋２の外側面が凹部４から筐体１の一側面に出っ張った状態となっている。
【００３４】
そして、図１５（ａ）及び（ｂ）はクローズ直前を示すものである。すなわち、図１４のオープン状態から矢印で示したように、曲線状溝によるレール５に沿ってスライド蓋２を開口部３に向けてスライドさせると、レール５の開口部３側の端部にピン６が到達した時点で、図示のように、リブ７の外周のパッキン８が、凹部４の傾斜面の開口部３の先端に接近する。
【００３５】
続いて、図１６（ａ）及び（ｂ）はクローズ時を示すものである。すなわち、図１５のクローズ直前状態から矢印で示したように、スライド蓋２を押し込むと、図示のように、レール５の開口部３側の端部に到達したピン６を中心として、レール５の中間部に設けた円弧状の分岐部５ｂに沿って他方のピン６が移動し、パッキン８が開口部３内に嵌め込まれる。この状態でスライド蓋２は、図示のように、筐体１の一側面と一様な平面となる。
【００３６】
以上のように、開口部３に向かって次第に近付く曲線状溝のレール５として、開口部３を露出させるオープン位置で筐体１の一側面よりスライド蓋２が出っ張り、開口部３を塞ぐクローズ位置でスライド蓋２を開口部３内に向け押し込むことで、スライド蓋２が筐体１の一側面と平面になるような構成としても、スライド蓋２がレール５に支持されることから、前述した実施形態１と同様の作用効果が得られる。
【００３７】
（実施形態４）
図１７は実施形態４を示すもので、図１７（ａ）はスライド蓋２を内側から見て拡大して示し、図１７（ｂ）はその外側から見て示している。
【００３８】
実施形態４では、図示のように、スライド蓋２は、上下面にレール５の溝内にスライド自在に係合する一対のピン６を一体に備えて、内面及び外面に直角に突出して開口部３に挿入されるリブ７を、周囲のゴム等の柔軟な素材により形成される柔軟部材１０を介して移動可能に組み付けている。そして、リブ７のスライド蓋２の内面から突出する先端部の外周にパッキン８が嵌め付けられている。
【００３９】
また、図１８から図２０に示すように、開口部３は、凹部４の一様な平面の一半部に形成されていて、レール５は、直線状溝となっている。
【００４０】
次に、図１８（ａ）及び（ｂ）は開口部３のオープン時を示すものである。図示のように、レール５の開口部３と反対側のピンストッパ部５ａに、スライド蓋２のピン６が係合保持されたオープン状態となっていて、スライド蓋２内の柔軟部材１０を介して移動可能に組み付けられたリブ７が凹部４から筐体１の一側面に出っ張った状態となっている。
【００４１】
そして、図１９（ａ）及び（ｂ）はクローズ直前を示すものである。すなわち、図１８のオープン状態から矢印で示したように、レール５に沿ってスライド蓋２を開口部３に向けてスライドさせると、レール５の開口部３側のピンストッパ部５ａにピン６が到達した時点で、図示のように、リブ７の外周のパッキン８が、凹部４の開口部３に接近する。
【００４２】
続いて、図２０（ａ）及び（ｂ）はクローズ時を示すものである。すなわち、図１９のクローズ直前状態から矢印で示したように、スライド蓋２内のリブ７を押し込むと、図示のように、スライド蓋２に対しリブ７周囲の柔軟部材１０が伸びて、パッキン８が開口部３内に嵌め込まれる。この状態でスライド蓋２及びその内部のリブ７は、図示のように、筐体１の一側面と一様な平面となる。
【００４３】
以上のように、開口部３を露出させるオープン位置で筐体１の一側面よりスライド蓋２内のリブ７が出っ張り、開口部３を塞ぐクローズ位置でスライド蓋２内のリブ７を開口部３内に向け押し込むことで、スライド蓋２及びその内部のリブ７が筐体１の一側面と平面になるような構成としても、スライド蓋２がレール５に支持されることから、前述した実施形態１と同様の作用効果が得られる。
【００４４】
（実施形態５）
図２１は実施形態５を示すもので、図１７（ａ）はスライド蓋２を内側から見て拡大して示し、図１７（ｂ）はその外側から見て示している。
【００４５】
実施形態５では、図示のように、スライド蓋２は、上下面にレール５の溝内にスライド自在に係合する一対のピン６を一体に備えて、内面に直角に突出して開口部３に挿入されるリブ７を、周囲のバネ１１を介して移動可能に組み付けている。バネ１１は、リブ７をスライド蓋２の内面から突出方向に常時付勢する。
【００４６】
そして、リブ７のスライド蓋２の内面から突出する先端部の外周にパッキン８が嵌め付けられている。
【００４７】
また、図２２から図２４に示すように、開口部３は、凹部４の一様な平面の一半部に形成されていて、レール５は、直線状溝となっている。
【００４８】
次に、図２２（ａ）及び（ｂ）は開口部３のオープン時を示すものである。図示のように、レール５の開口部３と反対側のピンストッパ部５ａに、スライド蓋２のピン６が係合保持されたオープン状態となっていて、スライド蓋２内のバネ１１を介して移動可能に組み付けられたリブ７が、凹部４との当接によりバネ１１の付勢力に抗してバネ１１を外側に伸張させ、凹部４から筐体１の一側面に出っ張った状態となっている。
【００４９】
そして、図２３（ａ）及び（ｂ）はクローズ直前を示すものである。すなわち、図２２のオープン状態から矢印で示したように、レール５に沿ってスライド蓋２を開口部３に向けてスライドさせると、レール５の開口部３側のピンストッパ部５ａにピン６が到達した時点で、図示のように、リブ７の外周のパッキン８が、凹部４の開口部３に接近する。
【００５０】
続いて、図２４（ａ）及び（ｂ）はクローズ時を示すものである。すなわち、図２３のクローズ直前状態から矢印で示したように、スライド蓋２内のリブ７が外側へ伸張状態のバネ１１が縮む方向に復帰する付勢力によって自動的に押し込まれる。これにより、図示のように、パッキン８が開口部３内に嵌め込まれる。この状態で、スライド蓋２に対しリブ７周囲のバネ１１が縮んで、スライド蓋２及びその内部のリブ７は、図示のように、筐体１の一側面と一様な平面となる。
【００５１】
以上のように、開口部３を露出させるオープン位置で筐体１の一側面よりスライド蓋２内のリブ７が出っ張り、開口部３を塞ぐクローズ位置でスライド蓋２内のリブ７をバネ１１の付勢により開口部３内に向け自動的に押し込むことで、スライド蓋２及びその内部のリブ７が筐体１の一側面と平面になるような構成としても、スライド蓋２がレール５に支持されることから、前述した実施形態１と同様の作用効果が得られることに加え、リブ７の押し込み操作が不要となるといった利点が得られる。
【００５２】
（変形例）
以上の実施形態においては、携帯電話としたが、本発明はこれに限定されるものではなく、ＰＤＡ、ノートパソコン、ウェアラブルパソコン、電卓、電子辞書などで開口部を防水構造としながら、開閉自在にした電子機器の全てに用いることができる。
また、実施形態のようなコネクタ部の開口以外に、他のカードや電池を収納する開口部の全てに適用できる。
さらに、実施形態では、支持部材としてのレールを溝としたが、突条よるレールとしてもよい。
また、開口部の位置や、開口部、蓋、防水部材、支持部材の形状等も任意であり、その他、具体的な細部構造等についても適宜に変更可能であることは勿論である。
【符号の説明】
【００５３】
１  筐体
２  スライド蓋
３  開口部
４  凹部
５  支持部材
６  ピン
７  リブ
８  防水部材
９  コネクタ
１０  柔軟部材
１１  バネ
【図１】
0005633921.tif 000002
【図２】
0005633921.tif 000003
【図３】
0005633921.tif 000004
【図４】
0005633921.tif 000005
【図５】
0005633921.tif 000006
【図６】
0005633921.tif 000007
【図７】
0005633921.tif 000008
【図８】
0005633921.tif 000009
【図９】
0005633921.tif 000010
【図１０】
0005633921.tif 000011
【図１１】
0005633921.tif 000012
【図１２】
0005633921.tif 000013
【図１３】
0005633921.tif 000014
【図１４】
0005633921.tif 000015
【図１５】
0005633921.tif 000016
【図１６】
0005633921.tif 000017
【図１７】
0005633921.tif 000018
【図１８】
0005633921.tif 000019
【図１９】
0005633921.tif 000020
【図２０】
0005633921.tif 000021
【図２１】
0005633921.tif 000022
【図２２】
0005633921.tif 000023
【図２３】
0005633921.tif 000024
【図２４】
0005633921.tif 000025